(57)【特許請求の範囲】
【請求項１】
前後に扉が設けられたラックであって、該ラックの両側面には、上下のガイド部材に沿ってスライドさせ、前記ラック側面に着脱可能な仕切板が設けられ、
該仕切板の引き出し方向には前記扉の何れか一方が位置し、該扉を開いた状態において前記仕切板の引き出しが可能であり、
前記仕切板のガイド部材は、鉄板を積層した構成であることを特徴とするラックシステム。
【請求項２】
前記仕切板は、前記ラックの一側面に上下２枚配設されていることを特徴とする請求項１記載のラックシステム。
【請求項３】
前記ラックの筐体には所定ピッチの取り付け穴が設けられたマウントアングルが配設されていることを特徴とする請求項１記載のラックシステム。
【請求項４】
前記マウントアングルはブラケットを介して前記筐体に取り付けられ、該ブラケットと筐体との取り付けは前記ラックの前後方向に対して所定ピッチで調整可能であることを特徴とする請求項３記載のラックシステム。
【請求項５】
前記マウントアングルを前記ブラケットに取り付ける際、前記ブラケットに対して微調整が可能であることを特徴とする請求項３記載のラックシステム。
【請求項６】
前記ラックには放熱ファンが取り付けられ、該放熱ファンはユニット化して前記ラックの天板開口部に取り付けられていることを特徴とする請求項１記載のラックシステム。
【請求項７】
前記扉の開閉を関知するセンサが、前記扉の回転軸に近い前記筐体に取り付けられていることを特徴とする請求項１記載のラックシステム。
【請求項８】
前記扉はヒンジ機構によって開閉する構成であることを特徴とする請求項１記載のラックシステム。
【請求項９】
電磁ロックの解除は、外部から供給される制御信号によって行われ、該制御信号は複数のラックを統合して制御する制御回路から供給されることを特徴とする請求項７記載のラックシステム。
【請求項１０】
前記ラック内には上下方向に移動可能なコンセントが設けられたファクトラインが配設されていることを特徴とする請求項１記載のラックシステム。
【発明の詳細な説明】
【０００１】
【発明の属する技術分野】
本発明はデータセンタ等に設置されるラックシステムに関する。
【０００２】
【従来の技術と発明が解決しようとする課題】
今日、インターネットや専用回線等のネットワークを利用した各種システムが構築され、そのサーバやデータベースをデータセンタに配置する提案がなされている。このようなデータセンタでは多くのラックを設置し、分割して各企業に使用させている。この場合、例えばある会社では１個のラックを使用するが、ある会社では複数のラックを使用する場合もある。
【０００３】
かかる環境において、同じ会社が複数のラックを使用する場合にはラック内の設置されたデバイス間を効率よく接続する必要がある。すなわち、各デバイス間の配線を効率よく接続する必要がある。また、ラックの強度についても重要であり、所定の強度が必要とされる。
【０００４】
一方、各企業が設置するデバイスも各種のタイプがあり、大きさや形状も各種のものがある。したがって、各種タイプのデバイスをラック内に配設するため、より自由度が高いマウントアングルを設置する必要がある。
【０００５】
本発明は上記課題に鑑み、複数のラック間の接続を効率よく行い、かつ各種タイプのデバイスを設置できる内部機構を有するラックシステムを提供するものである。
【０００６】
【課題を解決するための手段】
上記課題を解決するため、請求項１記載の発明は、前後に扉が設けられたラックであって、該ラックの両側面には、上下のガイド部材に沿ってスライドさせ、前記ラック側面に着脱可能な仕切板が設けられ、該仕切板の引き出し方向には前記扉の何れか一方が位置し、該扉を開いた状態において前記仕切板を引き出すラックシステムを提供することによって達成できる。
【０００７】
すなわち、ラックの側面に取り付けられる仕切板は、扉が開いた状態で引き出すことが可能であり、扉を閉じた状態では仕切板を引き出すことはできない。この構成はラックの両側面において同様であり、例えば前扉の開放によってラックの左側面の仕切板を取り外すことができ、後扉の開放によってラックの右側面の仕切板を取り外すことができる。
【０００８】
このように構成することにより、例えば複数のラックを利用するユーザは正規に扉を開放して隣りのラックとの接続等を行うことができ、デバイス間の接続を効率よく行うことができる。また、第三者はラックの仕切板を外すことができず、セキュリティーに優れたラックシステムとすることができる。
【０００９】
請求項２の記載は、前記請求項１記載の発明において、前記仕切板はラック側面の上下に２枚配設されている構成である。
このように構成することにより、ラックの上下を分けて使用させることができ、更に使用し易いラックシステムとすることができる。
【００１０】
請求項３の記載は、前記請求項１又は２の記載において、前記仕切板のガイド部材は所定の厚さの鉄板を積層した構成である。
このように構成することにより、上記仕切板のガイド溝を形成し、仕切板をスライド可能に構成するものである。
【００１１】
請求項４の記載は、前記請求項１記載の発明において、前記ラックの筐体には所定ピッチの取り付け穴が設けられたマウントアングルが配設された構成である。
【００１２】
このように構成することにより、ラックの使用者はマウントアングルに設けられた穴に設置するデバイスの取り付けを行い、デバイスに電源供給を行って利用することができる。また、上記マウントアングルに形成された穴ピッチは所定の規格に対応するものであり、極めて使用し易い構成である。
【００１３】
請求項５の記載は、前記請求項４の記載において、前記マウントアングルはブラケットを介して前記筐体に取り付けられ、ブラケットと筐体との取り付けは前記ラックの前後方向に対して所定ピッチで調整可能である。
【００１４】
このように構成することにより、設置するデバイスの大きさや形状が異なる場合でもラックの前後方向にマウントアングルの取り付け位置を調整することができ、より利用し易いラックシステムとすることができる。
【００１５】
請求項６の記載は、前記請求項５の記載において、前記マウントアングルを前記ブラケットに取り付ける際、前記ブラケットに対して微調整が可能である。
このように構成することにより、更にマウントアングルをミリ単位で調整することも可能となり、極めて利用し易いラックシステムとすることができる。
【００１６】
請求項７の記載は、前記請求項１記載の発明において、前記ラックには放熱ファンが取り付けられ、該放熱ファンは前記ラックの天板開口部に取り付けられていることを特徴とする請求項１記載のラックシステム。
【００１７】
このように構成することにより、ラックの天板上に放熱ファンが取り付けられ、例えばこの放熱ファンをユニット化して取り付けることによって、ラック内に放熱ファンが突出することを防止する。
【００１８】
請求項８の記載は、前記請求項１記載の発明において、前記扉の開閉を関知するセンサが、前記扉の回転軸に近い前記筐体に設けられている構成である。
このように構成することにより、センサの位置ずれを防止し、検知精度を増して扉の開閉検知を確実に行うことができる。
【００１９】
請求項９の記載は、前記請求項１の記載において、前記扉はヒンジ機構によって開閉する構成である。
このように構成することにより、扉を１８０度開放することができる。
【００２０】
請求項１０の記載は、前記請求項８の記載において、前記電磁ロックの解除は、外部から供給される制御信号によって行われ、該制御信号は複数のラックを統合して制御する制御回路から供給される構成である。
【００２１】
このように構成することにより、例えばＩＣカードを使用し、複数台のラックが配設された端部のカードリーダにＩＣカードを挿入し、ＩＣカード内のデータによって制御回路から電磁ロックを解除するラックを特定することができる。
【００２２】
請求項１１の記載は、前記請求項１記載の発明において、前記ラック内には上下方向に移動可能なコンセントが設けられたファクトラインが配設されている。
このように構成することにより、コンセントを上下に自由に移動し、最適な位置に移動したコンセントから電源供給を受けることができる。
【００２３】
【発明の実施の形態】
以下、本発明の実施形態について図面を用いて説明する。
図１は本実施形態を説明するラックシステムのシステム構成図である。同図に示すラックシステムは不図示のデータセンタに配設され、データセンタには同図に示す構成のラック（ラックシステム）が多数配設されている。同図に示す各ラック１ａ〜１ｄ、・・・は全て同じ構造であり、例えばアンカーを使用してフロア（床）２に固定されている。
【００２４】
図２は上記ラック１ａ〜１ｄ、・・・の中で、特にラック１ａ、１ｂを示す正面図である。ラック１ａ、１ｂの正面には扉３が設けられ、扉３は不図示の支軸を中心に回動自在に構成され、後述する電磁ロックを解除した後、ノブ５を握持し、手前に引くことによって開放することができる。
【００２５】
また、扉３の下部に設けられたスリット６は通気口であり、外気の取り入れ口として使用される。すなわち、ラック１ａ、１ｂの上部には後述する放熱ファン７が設けられ、ラック１ａ、１ｂ内の機器から発生した熱を、スリット６から入力する外気によって冷やし、放熱ファン７によって熱を上方に逃がす。
【００２６】
図３（ａ）は上記ラック１ａ、１ｂの上面図である。同図（ａ）に示すように、ラック１ａ、１ｂの上面にはそれぞれ６基の放熱ファン７ａ〜７ｆが配設されている。これらの放熱ファン７ａ〜７ｆはユニット８に収納され、ユニット８はラック１ａ、１ｂに突出して配設されている。また、同図（ｂ）はラック１ａ、１ｂの天板９の形状を示す図であり、天板９には開口９ａが形成され、この開口９ａの位置に上記ユニット８が取り付けられている。この取り付けはネジ１０によって締着されている。
【００２７】
尚、本例のラック１ａ、１ｂの裏面は前述の図２に示す正面図と同じ構成であり、従って扉３（前扉３）と同じ構成の扉（後扉）が裏面に配設され、ノブ５やスリット６の配設構成も同じである。したがって、具体的には図示しないが、ラック１ａ、１ｂの裏側からもノブ５を操作して後扉を開放することができ、また放熱の際にも外気は裏面のスリット６からも吸入できる。
【００２８】
一方、図４はラック１ａ、１ｂの側面図であり、仕切板２０、２１、及びガイド部材２２〜２４で構成されている。また、図５はラック１ａ（１ｂ）の側板の構成を詳しく説明する図である。仕切板２０、２１はガイド板２２〜２４に沿ってラック１ａ（１ｂ）の後方にスライド可能に構成されている。例えば、隣合うラック１ａと１ｂを使用する場合、仕切板２０、２１を矢印方向に引き抜いて使用する。尚、同図では仕切板２０、２１を後方に引き抜いて使用するが、例えば反対側のラック側面では、仕切板を手前側に引き抜いて使用する。
【００２９】
図６は上記仕切板２０、２１の構造を説明する図であり、同図（ａ）は仕切板２０、２１の平面図を示し、同図（ｂ）はその側面図を示し、同図（ｃ）は同図（ａ）のＡ−Ａ線断面図を示す。同図に示すように仕切板２０、２１には折曲げ加工が施され、この部分が取手２０ａ、２１ａを構成する。
【００３０】
一方、図７はガイド部材２３の構成図であり、同図（ａ）はガイド部材２３の平面図、同図（ｂ）はガイド部材２３の断面図である。同図（ａ）、（ｂ）において、ガイド部材２３は４枚のプレート２３ａ〜２３ｄを順次積層して構成され、プレート２３ａと２３ｃ間に溝２５ａ、２５ｂが形成される。この溝２５ａ、２５ｂの深さは、例えば１５ｍｍであり、プレート２３ｂの幅は２ｍｍで構成されている。また、上記溝２５ａには前述の仕切板２０の下側端が勘入し、溝２５ｂには前述の側板２１の上側端が勘入する。ここで、上記仕切板２０、２１の厚さは、例えば１．６ｍｍであり、スライドの際がたつくことなく、スムースに引き出すことができる。
【００３１】
また、図８はガイド部材２２の構成図であり、同図（ａ）はガイド部材２２の平面図であり、同図（ｂ）はガイド部材２２の断面図である。このガイド部材２２も４枚のプレート２２ａ〜２２ｄを順次積層して構成され、プレート２２ａと２２ｃ間に溝２６を形成する。この溝２６も例えば深さ１５ｍｍ、幅２ｍｍで構成され、仕切板２０の上側端が勘入する。
【００３２】
また、図９はガイド部材２４の構成図であり、同図（ａ）はガイド部材２４の平面図を示し、同図（ｂ）はガイド部材２４の断面図を示す。このガイド部材２４も４枚のプレート２４ａ〜２４ｄを順次積層して構成され、プレート２４ａと２４ｃ間に溝２７を形成する。この溝２７も例えば深さ１５ｍｍ、幅２ｍｍで構成され、前述の仕切板２１の下側端が勘入する。
【００３３】
したがって、上記のように構成することにより、仕切板２０は図７に示す溝２５ａと図８に示す溝２６間に勘入され、前述の図６に示すラック１ａ（１ｂ）の側面を移動可能である。すなわち、仕切板２０の上側端は図８に示す溝２６に勘入し、仕切板２０の下側端は図７に示す溝２５ａに勘入し、ガイド部材２２と２３に上下をガイドされながらラック１ａ（１ｂ）の側面を移動可能に構成されている。
【００３４】
また、仕切板２１は図８に示す溝２５ｂと図９に示す溝２７間に勘入され、前述の図６に示すラック１ａ（１ｂ）の側面を移動可能であり、仕切板２１の上側端は図７に示す溝２５ｂに勘入し、仕切板２１の下側端は図９に示す溝２７に勘入し、ガイド部材２２と２４に上下をガイドされながらラック１ａ（１ｂ）の側面を移動可能に構成されている。
【００３５】
尚、仕切板２０をガイド部材２２、２３に沿って移動し、又は仕切板２１をガイド部材２３、２４に従って移動する際には前述の取手２０ａ、又は２１ａを握持して行う。
【００３６】
一方、図１０はラック１ａ（１ｂ）の正面の扉３を開放した状態を示す図であり、後述するマウントアングル１３（１４）がラック１ａ（１ｂ）の両側に配設されている。尚、同図には扉３に形成されたスリット６の位置も示している。また、図１１は本例のラックの下部を正面から見た斜視図であり、組立図でもある。同図に示すようにラックの筐体には左右にマウントアングル１３、１４が設けられ、マウントアングル１３、１４はブラケット３１、３２によって筐体に取り付けられている。また、ラック側面には電源供給用のファクトライン３３、３４が配設され、ファクトライン３３、３４には上下方向に移動可能なコンセントが配設されている。また、正面下部にあるコネクタ３０は、後述するセンサと電磁ロック間の配線等に使用する構成である。
【００３７】
一方、図１２はラック１ａ（１ｂ）の上部を裏面側から見た斜視図であり、ラック１ａ（１ｂ）の上部には前述の放熱ファン７ａ〜７ｆが配設されている。前述のように、放熱ファン７ａ〜７ｆはユニット８内に配設されており、図１３はラックの天板上に設けられたユニット８の斜視図を示す。
【００３８】
一方、図１４はマウントアングル１３の取り付けを説明する図であり、前述のように筐体にブラケット３１を介して取り付けられている。ブラケット３１は筐体に設けられた取付け部４０にネジを使用して取り付けられる。この取付け部４０には所定間隔（所定ピッチ）で穴４０ａ、４０ｂ、４０ｃ、・・・が形成され、この穴４０ａ、４０ｂ、４０ｃ、・・・にブラケット３１側の穴（不図示）を合わせて締着する。尚、この時ドライバ等の工具を通すための開口４１がブラケット３１に設けられている。
【００３９】
上記構成によって筐体に対して所定間隔でブラケット３１を取り付けることができ、従ってマウントアングル１３をラック１ａ（１ｂ）の前後方向に調整して取り付けることができる。
【００４０】
さらに、ブラケット３１に対するマウントアングル１３の取り付けは、マウントアングル１３に設けられた長穴４２を使用し、ブラケット３１側に設けられた取付穴４３にネジ４４を用いて取り付ける。したがって、マウントアングル１３の取り付けに際し、マウントアングル１３の位置を前後方向に微調整することができる。
【００４１】
すなわち、本例のラック１ａ（１ｂ）によればマウントアングル１３の取り付けに際し、ブラケット３１の取り付けの際所定間隔（所定ピッチ）で前後方向に調整を行い、マウントアングル１３をブラケット３１に取り付ける際前後方向に微調整することができる。従って、マウントアングル１３の設置位置をラック１ａ（１ｂ）の前後方向に大きな自由度を持って設置することができる。
【００４２】
尚、ラック１ａ（１ｂ）の垂直方向についてはマウントアングル１３に所定間隔の取付穴４５、４６が形成されており、デバイスの取り付けにおいても、上下方向に自由度をもって取り付け可能である。また、この取付穴４５、４６の形成ピッチはデバイスの規格に合致したものであり、使用し易い構成である。
【００４３】
次に、図１５は前述の仕切板２０、２１の取り付け構成を示す斜視図である。前述のように、仕切板２０、２１は４枚のプレート２３ａ〜２３ｄ等を順次積層して構成されたガイド部材２２〜２４に沿ってスライド可能に構成され、同図はガイド部材２３の構成を示す斜視図である。同図に示すように、プレート２３ａと２３ｃ間の溝２５ａに仕切板２０の下側部が勘入する。前述の図６に示すように、仕切板２０（２１）は上記溝２５ａ（２５ｂ）内に仕切板２０（２１）の下側部を勘入し、スライド可能である。
【００４４】
図１６はラック側面の外観図であり、ラック側面には上下の仕切板２０、２１が前述の溝２５ａ（２５ｂ）に沿って勘入し、側板として機能している。
一方、図１７は扉１ａ（１ｂ）に設けられた鍵５０、及びノブ５を示す外観図である。同図において、鍵５０は例えばシリンダ錠であり、キー５２によって開放することができる。また、ノブ５は扉１ａ（１ｂ）を開放する際、回動させて使用する。
【００４５】
図１８は上記扉１ａ（１ｂ）の裏面の構成を示す図であり、鍵５０にはレバー５０ａが連動し、鍵５０を開錠するとレバー５０ａが回転し、レバー５０ａに形成された穴５０ｂに後述する電磁ロックのレバーの先端が勘入する構成である。
【００４６】
また、ノブ５の裏面にはレバー５ａが形成され、レバー５ａは筐体に設けられた契合部に勘入する。図１９はラック側に設けられた電磁ロックの構成を説明する斜視図である。電磁ロック５４は内部に電磁コイルを有し、該電磁コイルに電流を流すことにより、レバー５４ａを上下に駆動する。また、電磁ロック５４には不図示の制御回路から電流が供給され、扉１ａ（１ｂ）のロック、及びロック解除を行う。
【００４７】
また、レバー５４ａの先端５４ａ’は、前述の鍵５０のレバー５０ａの穴５０ｂに勘入する構成であり、レバー５４ａの先端５４ａ’がレバー５０ａの穴５０ｂに勘入することによって扉１ａ（１ｂ）はロックされる。
【００４８】
具体的には、本例のラックシステムは複数のラックを配設し（例えば、１０台のラックを並設し）、端部に配設されたラックにカードリーダを設け、このカードリーダにＩＣカードを差し込むことによって、ＩＣカード内のメモリに記憶されたラック番号の情報を読み取り、対応するラックの電磁ロック５４を解除する。
【００４９】
このように構成することにより、ラック１ａ（１ｂ）の利用者は使用するラック１ａ（１ｂ）のノブ５を手前に引くことによって扉３を開放することができる。すなわち、上記ＩＣカードの挿入によって、対応するラックの電磁ロック５４が外れ、ノブ５を手前に引くことによって、扉３を開くことができる。
【００５０】
一方、扉３のロックは、扉３を開放した後一定時間（例えば、５秒間）経過すると電磁ロック５４のレバー５４ａが下方に移動し、ロック可能状態となる。したがって、その後扉３を閉じることによって、レバー５０ａの穴５０ｂが電磁ロック５４のレバー５４ａの先端に勘合しロックされる。したがって、その後はノブ５を回して扉３を開放しようとしても、扉３を開くことができない。
【００５１】
また、図２０は上記センサの配設構成を示す図であり、センサ５５は前述の図１０に示すように、ラック筐体の上部フレームに取り付けられ、扉３の開閉を検出する。例えば、扉３を閉じるとセンサ５５に近接した所定位置まで扉３の対面部が達し、センサ５５は扉３の閉成を検知する。一方、扉３が開放されると、扉３の対面がセンサ５５の所定近接位置から離れ、扉３が開放されたことが分かる。
【００５２】
センサ５５は扉３の開閉に従って開信号又は閉信号を出力し、電磁ロック５４のロック制御に使用する。また、上記センサ５５は扉３の回転軸に近い箇所に取り付けられ、扉３の開閉による寸法的なずれを少なくする構成である。また、センサ５５には磁気センサが使用されている。
【００５３】
以上の構成において、仕切板２０の着脱は、扉３を開放して行う必要がある。すなわち、前述の扉３を開放することによって、例えばラック１ａ（１ｂ）の左側の仕切板を引き出すことが可能となる。すなわち、図１０に示すように、扉３を開いて初めて仕切板２０、２１の取手２０ａ、２１ａが現れ、取手２０ａ、２１ａを持って手前に引き出すことが可能になる。
【００５４】
尚、ラックの右側の仕切板は裏面の扉を開放することによって、仕切板を裏面側に引き出すことができる。したがって、例えば隣りのラックを使用するユーザは自己のラックの仕切板を引き出し、取り外すことはできるが、隣りの仕切板を外すことはできない。したがって、上記構成からセキュリティーが充分なラックシステムである。
【００５５】
また、複数のラックが配設された端部のラックの側面は側板によって取り外し不可能な状態に設置されている。すなわち、内側からネジによって固定されている。以上の構成からセキュリティーが充分保証されたラックシステムとすることができる。
【００５６】
また、本例の扉３は取り付け部がヒンジで構成され、扉３を開放すると、１８０度開くことができ、例えばデバイスの搬入や配線作業等において、利便性がよい。
【００５７】
【発明の効果】
以上のように、本発明によれば、データセンタ等において設置されるラックシステムであって、ラックの側面に引き出し可能な仕切板を配設し、セキュリティーの優れたラックシステムとすることができる。
【００５８】
また、マウントアングルの前後方向への調整が可能であり、スペースの有効利用を図ることが可能なラックシステムとすることができる。
【図面の簡単な説明】
【図１】本実施形態を説明するラックシステムのシステム構成図である。
【図２】ラックを示す正面図である。
【図３】（ａ）はラックの上面図であり、（ｂ）はラックの天板の形状を示す図である。
【図４】ラックの側面図である。
【図５】ラックの側面の断面図である。
【図６】仕切板の構成を説明する図である。
【図７】（ａ）はガイド部材の平面図を示し、（ｂ）はその側面図を示し、（ｃ）は同図（ａ）のＡ−Ａ線断面図を示す。
【図８】（ａ）はガイド部材の平面図であり、（ｂ）はその断面図である。
【図９】（ａ）はガイド部材の平面図であり、（ｂ）はその断面図である。
【図１０】正面の扉を開放した状態を示す図である。
【図１１】ラックの下部を正面から見た場合の斜視図である。
【図１２】ラックの上部を裏面側から見た場合の斜視図である。
【図１３】ラックの天板上に配設されたユニットの斜視図を示す。
【図１４】マウントアングルの取り付けを説明する図である。
【図１５】仕切板の取り付け構成を説明する斜視図である。
【図１６】ラック側面の外観図である。
【図１７】扉に設けられた鍵、及びノブを示す外観図である。
【図１８】ラックの天板上に配設されたユニットの斜視図を示す。
【図１９】ラック側に設けられた電磁ロックの構成を説明する斜視図である。
【図２０】センサの構成を説明する図である。
【符号の説明】
１ａ〜１ｄ  ラック
２  フロア（床）
３  扉
４  支軸
５  ノブ
７ａ〜７ｆ  放熱ファン
８  ユニット
９  天板
９ａ  開口
１０  ネジ
１３、１４  マウントアングル
２０、２１  仕切板
２０ａ、２０ｂ  取手
２２〜２４  ガイド部材
２２ａ〜２２ｄ  プレート
２５ａ、２５ｂ、２６、２７  溝
３０  コネクタ
３１、３２  ブラケット
３３、３４  ファクトライン
４０  取付け板
４０ａ、４０ｂ、４０ｃ  穴
４２  長穴
４４  ネジ
４５、５６  取付穴
５０  鍵
５０ａ、５１ａ、５４ａ  レバー
５４  電磁ロック
【図１】
0004601184.tif 000002
【図２】
0004601184.tif 000003
【図３】
0004601184.tif 000004
【図４】
0004601184.tif 000005
【図５】
0004601184.tif 000006
【図６】
0004601184.tif 000007
【図７】
0004601184.tif 000008
【図８】
0004601184.tif 000009
【図９】
0004601184.tif 000010
【図１０】
0004601184.tif 000011
【図１１】
0004601184.tif 000012
【図１２】
0004601184.tif 000013
【図１３】
0004601184.tif 000014
【図１４】
0004601184.tif 000015
【図１５】
0004601184.tif 000016
【図１６】
0004601184.tif 000017
【図１７】
0004601184.tif 000018
【図１８】
0004601184.tif 000019
【図１９】
0004601184.tif 000020
【図２０】
0004601184.tif 000021